(57)【要約】【課題】使用者に帯電した静電気による機器の損傷を防止すること。【解決手段】スイッチ部４６を備えた操作部１７と、前記操作部１７の外面を覆い入力設定手段１８を備えたパネル２０と、アース接続端子１６を設けた機器本体９とを備え、前記操作部１７は機器本体９と電気的に接触させるとともに、前記操作部１７および前記パネル２０および前記機器本体９を導電性素材で構成したことにより、静電気の放電経路が確保されるので、使用者が静電気に帯電していても、前記操作部１７を操作することにより、帯電した静電気を電撃ショックの発生を防止しつつ、放電する。【選択図】図４
2010244969.tif 000002
【特許請求の範囲】
【請求項１】
スイッチ部を備えた操作部と、前記操作部の外面を覆うパネルと、アース接続端子を設けた機器本体とを備え、前記操作部および前記パネルは機器本体と導通可能に接触させると共に、前記操作部および前記パネルおよび前記機器本体を導電性素材で構成した家電機器。
【請求項２】
スイッチ部を備えた操作部と、前記操作部の外面を覆うパネルと、アース接続端子を設けた機器本体とを備え、前記操作部および前記パネルを導電性素材で構成し、前記操作部または前記パネルは、前記機器本体の前記アース接続端子とリード線にて接続した家電機器。
【請求項３】
操作部およびパネルおよび機器本体は、表面抵抗率の電気抵抗値が１．０×１０5Ω以上で１．０×１０9Ω以下の導電性素材を使用した請求項１に記載の家電機器。
【請求項４】
操作部およびパネルは、表面抵抗率の電気抵抗値が１．０×１０5Ω以上で１．０×１０9Ω以下の導電性素材を使用した請求項２に記載の家電機器。
【発明の詳細な説明】
【技術分野】
【０００１】
本発明は、家電機器に係り、特に人体に帯電した静電気を除電する構造を有する家電機器に関するものである。
【背景技術】
【０００２】
冬季など空気が乾燥した環境で、人体が歩行や椅子に座るなどの動作を行うと、着用している衣類相互間や他の物体との間の摩擦や、靴や靴下とカーペットなどの床面や地面との間の摩擦が繰り返され、なおかつ湿度が低い場合、帯電した電荷は自然放電しにくくなるため、人体は高電圧の静電気に帯電しやすくなる。また近年は、化学繊維の使用比率の高い衣類や靴、合成素材を使用した床面や建材などが普及してきており、人体が高電圧の静電気に帯電する可能性が高くなっている。
【０００３】
この状態で、使用者すなわち人体が電子機器に触れると機器を破損したり、面積の大きい導電金属などに触れると、高電圧の電荷が急速に放電されるため、放電の瞬間に人体は大きな電撃ショックを受ける事がある。
【０００４】
人体が高電圧の静電気に帯電した状態で機器を操作することによる機器の電子回路の破損や誤動作を防止する目的で、静電気対策塗料を機器の表示パネルもしくは本体に塗装することや、導電膜シートを貼り付ける事で、人体に帯電した静電気の一部をパネルを通じて機器本体に放電させる方式が提案されている（特許文献１参照）。
【０００５】
図７は、特許文献１に記された電子機器（携帯電話機）の表示部の断面図であり、液晶表示パネル６５は、回路基板６４の上面に位置するとともに、前記液晶表示パネル６５の表面を保護する保護パネル６６を備え、回路基板６４にはアース部６８が設けられる。
【０００６】
保護パネル６６の裏面側には、静電気を放電するとともに通電しない静電気対策塗料の塗装により静電気対策塗装膜６３が形成され、前記静電気対策塗装膜６３は、前記回路基板６４のアース部６８と金属のビス６７にて電気的に接続されるので、人体からの静電気は、保護パネル６６からビス６７を介してアース部６８に放電するという構成である。  
【０００７】
また、機器の表示パネルの表面や操作パネルに透明導電部材を設け、この透明導電部材と回路基板のアース部とを導電手段で接続するよう構成することで、人体に帯電した静電気を回路基板のアース部に放電させる方式が提案されている（特許文献２参照）。
【０００８】
図８は、特許文献２に記された電子機器（携帯電子機器・ページャー）の概略背面図であり、ケース７１内方にメイン回路基板７３と液晶表示パネル７５、前記液晶表示パネル７５の表面に貼り付けた透明導電膜シート７０およびアース部７８を有するサブ回路基板７４を配設する。
【０００９】
液晶表示パネル７５は、透明導電膜シート７０および導電シート７７を介してサブ回路基板７４のアース部７８に接続されているので、機器使用時に液晶表示パネル７５に印加された静電気はアース部７８に伝わって電源のグランドに放電するという構成である。
【先行技術文献】
【特許文献】
【００１０】
【特許文献１】特開２００７−３２８９２２号公報
【特許文献２】特開平１１−１８５９９１号公報
【発明の概要】
【発明が解決しようとする課題】
【００１１】
しかしながら、上記特許文献１で提案された構成では、静電気対策塗料を塗布した保護パネルを備えることで、静電気に帯電した状態の使用者が機器を操作する際に、保護パネルに触れることで機器の電子回路の誤動作や、実装された電子部品の破壊を防止するように構成されているので、使用者が意図的に静電気対策塗料の塗布された保護パネルに触れない限り、使用者すなわち人体に帯電した静電気を完全に放電させられないという課題があった。
【００１２】
また、上記特許文献２で提案された構成では、表示パネルの表面もしくは、操作パネルに透明導電部材を設け、回路基板のアース部と接続するよう構成することで、機器本体もしくは、回路基板のアース部に静電気を放電するよう構成されているが、大地と回路基板もしくは機器本体とはアース接続されておらず、回路基板もしくは機器本体と大地との間の容量結合を利用して放電を行うため、容量結合の状態によって、人体に帯電した静電気容量が多量の場合には、完全には放電させる事が出来ないという課題があった。
【００１３】
本発明は上記従来の課題を解決するもので、使用者が必ず接触する操作部に触れるだけで、使用者すなわち人体に帯電した静電気を、電撃ショックの発生を防止しつつ放電することにより機器の損傷を防止することを目的としている。
【課題を解決するための手段】
【００１４】
本発明は上記目的を達成するために、スイッチ部を備えた操作部と、前記操作部の外面を覆うパネルと、アース接続端子を設けた機器本体とを備え、前記操作部およびパネルは機器本体と導通可能に接触させると共に、前記操作部および前記パネルおよび前記機器本体を導電性素材で構成したものである。
【００１５】
これにより、使用者がパネルで覆われた操作部に触れることにより、パネルから操作部、そして本体のアース接続端子、アースを通して、使用者すなわち人体に帯電した静電気を、大地に放電することができる。そのため、人体が静電気に帯電していて大地と同電位にある導電金属や、抵抗値が低い物質、また大地と同電位でなくとも、容量性結合で大地と電気的につながる可能性の有るような、面積の大きい導電金属などに触れた場合の電撃ショックを受ける可能性を低減することができると共に、機器の損傷を防止することができる。
【発明の効果】
【００１６】
本発明の家電機器は、使用者すなわち人体が静電気に帯電していた場合に、使用者が操作部を操作することで、帯電した静電気を電撃ショックの発生を防止しつつ、放電することができる。
【図面の簡単な説明】
【００１７】
【図１】本発明の実施の形態１における洗濯機の縦断面図
【図２】同洗濯機の一部ブロック化した回路図
【図３】同洗濯機の入力設定手段及び表示手段の正面図
【図４】同洗濯機のパネル部詳細縦断面図
【図５】本発明の実施の形態２における洗濯機の縦断面図
【図６】同洗濯機のパネル部詳細縦断面図
【図７】従来の電子機器（携帯電話機）の表示部の断面図
【図８】従来の電子機器（携帯電子機器・ページャー）の概略背面図
【発明を実施するための形態】
【００１８】
第１の発明は、スイッチ部を備えた操作部と、前記操作部の外面を覆うパネルと、アース接続端子を設けた機器本体とを備え、前記操作部およびパネルは機器本体と導通可能に接触させるとともに、前記操作部および前記パネルおよび前記機器本体を導電性素材で構成したことにより、静電気の放電経路が確保されるので、使用者が静電気に帯電していても、前記操作部を操作することにより、帯電した静電気を電撃ショックの発生を防止しつつ、放電することができると共に、機器の電子部材の破損を防止する事ができる。
【００１９】
第２の発明は、操作部またはパネルを、機器本体のアース接続端子とリード線にて接続したことにより、前記パネルと前記アース接続端子との間に、非導電性素材で構成した部品が多数介在するような機器の構成に於いても、静電気の放電経路が確保されるので、使用者が静電気に帯電していても、前記操作部を操作することにより、帯電した静電気を電撃ショックの発生を防止しつつ、放電することができる。
【００２０】
第３の発明は、特に第１の発明の操作部およびパネルおよび本体は、表面抵抗率の電気抵抗値が１．０×１０5Ω以上で１．０×１０9  Ω以下の導電性素材を使用したことにより、操作部に触れることにより、より確実にかつ安定的に、帯電した静電気を電撃ショックの発生を防止しつつ放電が出来るものである。
【００２１】
第４の発明は、特に第２の発明の操作部およびパネルは、表面抵抗率の電気抵抗値が１．０×１０5Ω以上で１．０×１０9  Ω以下の導電性素材を使用したことにより、操作部に触れることにより、より確実にかつ安定的に、帯電した静電気を電撃ショックの発生を防止しつつ放電が出来るものである。
【００２２】
以下、本発明の実施の形態について、家電機器の代表格の製品である洗濯機を例に用いて、図面を参照しながら説明する。なお、この実施の形態によって本発明が限定されるものではない。
【００２３】
（実施の形態１）
図１は、本発明の実施の形態１における洗濯機の縦断面図を示し、図２は、同洗濯機の一部ブロック化した回路図、図３は、同洗濯機の入力設定手段及び表示手段の正面図、図４は、同洗濯機のパネル部詳細縦断面図を示す。
【００２４】
図１に示すように、回転ドラム１は、有底円筒形に形成し外周部に多数の通水孔２を全面に設け、水受け槽３内に回転自在に配設している。回転ドラム１の回転中心に略傾斜方向に回転軸（回転中心軸）４を設け、回転ドラム１の軸心方向を正面側から背面側に向けて下向きに傾斜させて配設している。この回転軸４に、水受け槽３の背面に取り付けたモータ５を連結し、回転ドラム１を正転、逆転方向に回転駆動し、回転ドラム１の内壁面に設けた数個の突起板６にて衣類の撹拌をする。
【００２５】
使用者は、水受け槽３の正面側の上向き傾斜面に設けた開口部を開閉自在に覆う蓋体７を開くことにより、衣類出入口８を通して回転ドラム１内に洗濯物を出し入れするとともに、洗濯機本体９の上方で前記蓋体７上部に配設した操作部１７にて運転条件等を指等で入力する。
【００２６】
水受け槽３は、鋼板等の導電性の金属で構成された洗濯機本体９よりばね体（図示せず）で揺動可能に吊り下げられており、水受け槽３の下部に排水経路１０の一端を接続し、排水経路１０の他端を排水弁１１に接続して、水受け槽３内の洗濯水やすすぎ水を排水するようにしている。給水弁１２は給水経路１３を通して水受け槽３内に水を給水するものである。
【００２７】
また、洗濯機本体９の背面には、接地用のアース線１４をネジ１５で接続固定されたアース接続端子１６を備えている。
【００２８】
洗濯機本体９の上方前面に配設した操作部１７は、使用者が電源の入り／切りや、運転コース等の設定、運転を開始するための入力を行う入力設定手段１８と、その情報を基に設定内容の表示や、洗濯運転中の進行状態や、残り時間を表示する表示手段１９とを有し、制御装置２１と通信線４０にて電気的接続される。
【００２９】
さらに操作部１７は、導電性素材で構成されており、その外面を、同じく導電性素材で構成されたパネル２０によって覆われている。
【００３０】
また、前記操作部１７や、パネル２０は、汎用プラスチックの成型部材として製作されるとともに、導電性のポリマーを複合すること（例えば、導電性カーボン繊維、導電性酸化亜鉛を混練りしたＡＢＳ樹脂など）で、所望の導電性を持った構成としている。
【００３１】
制御装置２１は、図２の回路図に示すように構成しており、モータ５、排水弁１１、給水弁１２などの負荷を制御し、洗い、すすぎ、脱水の一連の行程を逐次制御するマイクロコンピュータからなる制御手段２２を有している。制御手段２２は、入力設定手段１８からの情報を入力して、その情報を基に表示手段１９で表示して使用者に知らせるとともに、入力設定手段１８により運転開始が設定されると、スイッチング手段駆動回路２３を介してスイッチング手段２４を制御し、排水弁１１、給水弁１２などの動作を制御し、洗濯、すすぎ、脱水等の一連の運転を行う。
【００３２】
入力設定手段１８は、図３の正面図に示すように、洗い時間を設定する洗い時間設定スイッチ１８ａ、すすぎ回数を設定するすすぎ回数設定スイッチ１８ｂ、脱水時間を設定する脱水時間設定スイッチ１８ｃ、コース設定スイッチ１８ｄ、スタート・一時停止スイッチ１８ｅ、電源入りスイッチ１８ｆ、電源切りスイッチ１８ｇなどを有している。
【００３３】
表示手段１９は、洗い時間表示部１９ａ、すすぎ回数表示部１９ｂ、脱水時間表示部１９ｃ、コース設定表示部１９ｄ、残り時間表示および数字表示部１９ｅなどを有している。
【００３４】
図４の縦断面図に示すように、タクトスイッチ３３や、表示手段１９の一部でもあるＬＣＤ（液晶表示）４１等を実装したプリント基板３４は、基板収納ケース４２内部に防湿用のウレタン樹脂剤４３を介して保持され、前記基板収納ケース４２は、ネジ３５にて、操作部１７の裏面に一体形成したボス４４に固定される。
【００３５】
操作部１７は、前記ＬＣＤ（液晶表示）４１に対応する位置に透明窓４５を配置するとともに、前記タクトスイッチ３３に対応する位置にスイッチ部４６を可動自在に一体形成する。
【００３６】
パネル２０は、前記操作部１７の表面を覆うように接着あるいはインサート成型にて固定され、かつ操作部１７とは導電性素材で接続した状態にあり、かつ、洗濯機本体９とも端部４９にて導電性素材で接続状態にある。
【００３７】
使用者は、パネル２０に形成した入力設定手段１８を押すことで、操作部１７のスイッチ部４６が弾性的に押し込まれ、先端部４７がタクトスイッチ３３を押圧して信号が入力される。
【００３８】
また、前記操作部１７や、パネル２０は、汎用プラスチックの成型部材として製作されるとともに、導電性のポリマーを複合すること（例えば、導電性カーボン繊維、導電性酸化亜鉛を混練りしたＡＢＳ樹脂など）で、表面抵抗率の電気抵抗値が１．０×１０5Ω以上で１．０×１０9Ω以下の導電性素材を使用するように構成したので、高電圧に帯電した静電気の電荷が急速な放電をしないので、放電の瞬間の大きな電撃ショックを使用者の人体に与える事が無くなる。
【００３９】
上記のように構成された家電機器について以下動作、作用、を説明する。
【００４０】
静電気に帯電した状態の使用者が、洗濯機を運転するために操作部１７に配置された電源入りスイッチ１８ｇ等を、パネル２０の上から指などで押圧操作する。いずれも導電性の素材で構成されたパネル２０と操作部１７の間および、操作部１７と洗濯機本体９の間は端部４９にて接触しており、洗濯機本体９の背面に備えられたアース接続端子１６を介して、アース線１４より大地に対して接地されているので、使用者に帯電した静電気は、使用者に電撃ショックを与えることなく、確実に大地に放電される。
【００４１】
また、表面抵抗率の電気抵抗値が１．０×１０5Ω以上で１．０×１０9Ω以下と設定したので、急速な放電をせず、放電の瞬間の電撃を柔らげる事ができる。
【００４２】
なお、操作部１７、パネル２０を構成する素材として、汎用プラスチックに導電性のポリマーを複合することで、所望の導電性を持った構成としているが、これに限定するものではなく、金属粒子を複合したり、導電性の塗料を表面に塗布したりすることでも、所望の導電性を有した構成とすることが可能である。
【００４３】
（実施の形態２）
図５は、本発明の実施の形態２における洗濯機の縦断面図を示し、図６は、同洗濯機のパネル部詳細縦断面図を示す。
【００４４】
図６に示すように、基板収納ケース４２を操作部１７に固定するネジ３５は、図５に記載されたアース接続端子１６に電気的に接続したリード線４８を共にボス４４に固定することで、前記操作部１７またはパネル２０は、アース接続端子１６にリード線４８にて電気的に接続される。他の構成は上記実施の形態１と同じであり、詳細な説明は省略する。
【００４５】
このように、操作部１７およびパネル２０は、アース接続端子１６とリード線４８によって、直接接続するよう構成されているので、パネル２０部とアース接続端子１６との間に、非導電性素材で構成した部品が多数介在するような機器の構成に於いても、静電気の放電経路が確保されるので、使用者が静電気に帯電している場合に、前記操作部を操作することにより、帯電した静電気を電撃ショックによるプリント基板３４内部の電子部品や制御装置２１の破損を防止しつつ、確実に放電することができる。
【産業上の利用可能性】
【００４６】
以上のように、本発明にかかる家電機器は、使用者が静電気に帯電していても、操作部を操作することにより、帯電した静電気を電撃ショックの発生を防止しつつ、放電することができるので、衣類乾燥機、食器洗い機、電子レンジ、温水洗浄便座、生ごみ処理機、冷蔵庫など、アース接続端子および操作部を備えた、あらゆる家電機器に適用可能である。
【符号の説明】
【００４７】
９    洗濯機本体
１６  アース接続端子
１７  操作部
１８  入力設定手段
２０  パネル
４６  スイッチ部
【図１】
2010244969.tif 000003
【図２】
2010244969.tif 000004
【図３】
2010244969.tif 000005
【図４】
2010244969.tif 000006
【図５】
2010244969.tif 000007
【図６】
2010244969.tif 000008
【図７】
2010244969.tif 000009
【図８】
2010244969.tif 000010